(57)【要約】      （修正有）【課題】パター、アイアン、ウッドなどのゴルフクラブを使用したアドレスを、簡易且つ正確に矯正することができる折り畳み式アドレス矯正器具を提供する。【解決手段】折り畳み式アドレス矯正器具１０は、第１の定規板１０ａから第７の定規板１０ｇが、順次連結固定手段Ｒで一体的になるように連結されている。アイアン用のアドレスの矯正として使用する場合、第１の角度Ｋ１と第２の角度Ｋ２を１８０度とし、第３の角度Ｋ３を９０度とし、第４の角度Ｋ４を１８０度とし、第５の角度Ｋ５を９０度とし、第６の角度を１８０度とし、第１の定規板１０ａと第２の定規板１０ｂと第３の定規板１０ｃを、スタンスの位置決めとして用い、第４の定規板１０ｄと第５の定規板１０ｅをボールまでの距離決めとして用い、及び第６の定規板１０ｆと第７の定規板１０ｇを、ボールの位置決めとして用いる。【選択図】図１
0003218408.tif 000002
【実用新案登録請求の範囲】
【請求項１】
複数の定規板を有する折り畳み式アドレス矯正器具であって、
前記複数の定規板のそれぞれは、等間隔に目印が記載されている位置特定目印を有し、
前記複数の定規板は、それぞれが連結部を有し、前記それぞれの連結部が、回転自在に形成され、且つ、予め定められた角度で固定されるように形成されている連結固定手段により、順次連結され、一体的になるように形成されていることを特徴とする折り畳み式アドレス矯正器具。
【請求項２】
前記複数の定規板は、７つの定規板であり、
前記７つの定規板は、第１の定規板、第２の定規板、第３の定規板、第４の定規板、第５の定規板、第６の定規板、第７の定規板であり、
前記連結固定手段の前記予め定められた角度は、０度、９０度、１８０度、及び２７０度であることを特徴とする請求項１に記載の折り畳み式アドレス矯正器具。
【請求項３】
前記第１の定規板と前記第２の定規板を第１の角度とし、前記第２の定規板と前記第３の定規板を第２の角度とし、前記第３の定規板と前記第４の定規板を第３の角度とし、前記第４の定規板と前記第５の定規板を第４の角度とし、前記第５の定規板と前記第６の定規板を第５の角度とし、前記第６の定規板と前記第７の定規板を第６の角度とし、
パター用のゴルフクラブのアドレスの矯正として使用する場合、前記第１の角度と前記第２の角度を１８０度とし、前記第３の角度と前記第４の角度を９０度とし、前記第５の角度と前記第６の角度を１８０度とし、前記第１の定規板と前記第２の定規板と前記第３の定規板を、スタンスの位置決めとして用い、前記第４の定規板をボールまでの距離決めとして用い、及び前記第５の定規板と前記第６の定規板と前記第７の定規板を、前記ボールの位置決めとして用い、
アイアン用のゴルフクラブの矯正として使用する場合、前記第１の角度と前記第２の角度を１８０度とし、前記第３の角度を９０度とし、前記第４の角度を１８０度とし、前記第５の角度を９０度とし、前記第６の角度を１８０度とし、前記第１の定規板と前記第２の定規板と前記第３の定規板を、前記スタンスの位置決めとして用い、前記第４の定規板と前記第５の定規板を前記ボールまでの距離決めとして用い、及び前記第６の定規板と前記第７の定規板を、前記ボールの位置決めとして用い、
ウッド用のゴルフクラブのアドレスの矯正として使用する場合、前記第１の角度と前記第２の角度を１８０度とし、前記第３の角度を９０度とし、前記第４の角度と前記第５の角度を１８０度とし、前記第６の角度を９０度とし、前記第１の定規板と前記第２の定規板と前記第３の定規板を、前記スタンスの位置決めとして用い、前記第４の定規板と前記第５の定規板と前記第６の定規板を前記ボールまでの距離決めとして用い、及び前記第７の定規板を、前記ボールの位置決めとして用いることを特徴とする請求項２に記載の折り畳み式アドレス矯正器具。
【請求項４】
前記位置特定目印は、前記複数のそれぞれの定規板の両面に記載されていることを特徴とする請求項１から請求項３のいずれかに記載の折り畳み式アドレス矯正器具。
【考案の詳細な説明】
【技術分野】
【０００１】
本考案は、折り畳み式アドレス矯正器具に関する。
【背景技術】
【０００２】
ゴルファーにおいて、ボールの位置に対するアドレスは重要であり、スタンスとボールの位置が正しくなるように、スイングの度に矯正しているのが現状である。
【考案の概要】
【考案が解決しようとする課題】
【０００３】
上記のとおりゴルファーにおいて、ボールの位置に対するアドレスは重要であり、ボールとスタンスの位置関係、つまりスタンスとボールの位置が正しくセットされていないと、飛距離ミス、テンプラ、ダフリ、トップなどのミスショットの原因となってしまうことより、効果的にアドレスを矯正できる器具が求められていた。
【０００４】
そこで本考案は、このような課題を解決するためになされたもので、パター、アイアン、ウッドなどのゴルフクラブを使用したアドレスを、簡易且つ正確に矯正することができる折り畳み式アドレス矯正器具を提供することである。
【課題を解決するための手段】
【０００５】
上記課題を解決するために、本考案に係る折り畳み式アドレス矯正器具は、複数の定規板を有する折り畳み式アドレス矯正器具であって、前記複数の定規板のそれぞれは、等間隔に目印が記載されている位置特定目印を有し、前記複数の定規板は、それぞれが連結部を有し、前記それぞれの連結部が、回転自在に形成され、且つ、予め定められた角度で固定されるように形成されている連結固定手段により、順次連結され、一体的になるように形成されていることを特徴とする。
【０００６】
本考案に係る折り畳み式アドレス矯正器具の態様について、前記複数の定規板は、７つの定規板であり、前記７つの定規板は、第１の定規板、第２の定規板、第３の定規板、第４の定規板、第５の定規板、第６の定規板、第７の定規板であり、前記連結固定手段の前記予め定められた角度は、０度、９０度、１８０度、及び２７０度であることが好ましい。
【０００７】
本考案に係る折り畳み式アドレス矯正器具の態様について、前記第１の定規板と前記第２の定規板を第１の角度とし、前記第２の定規板と前記第３の定規板を第２の角度とし、前記第３の定規板と前記第４の定規板を第３の角度とし、前記第４の定規板と前記第５の定規板を第４の角度とし、前記第５の定規板と前記第６の定規板を第５の角度とし、前記第６の定規板と前記第７の定規板を第６の角度とし、パター用のゴルフクラブのアドレスの矯正として使用する場合、前記第１の角度と前記第２の角度を１８０度とし、前記第３の角度と前記第４の角度を９０度とし、前記第５の角度と前記第６の角度を１８０度とし、前記第１の定規板と前記第２の定規板と前記第３の定規板を、スタンスの位置決めとして用い、前記第４の定規板をボールまでの距離決めとして用い、及び前記第５の定規板と前記第６の定規板と前記第７の定規板を、前記ボールの位置決めとして用い、アイアン用のゴルフクラブの矯正として使用する場合、前記第１の角度と前記第２の角度を１８０度とし、前記第３の角度を９０度とし、前記第４の角度を１８０度とし、前記第５の角度を９０度とし、前記第６の角度を１８０度とし、前記第１の定規板と前記第２の定規板と前記第３の定規板を、前記スタンスの位置決めとして用い、前記第４の定規板と前記第５の定規板を前記ボールまでの距離決めとして用い、及び前記第６の定規板と前記第７の定規板を、前記ボールの位置決めとして用い、ウッド用のゴルフクラブのアドレスの矯正として使用する場合、前記第１の角度と前記第２の角度を１８０度とし、前記第３の角度を９０度とし、前記第４の角度と前記第５の角度を１８０度とし、前記第６の角度を９０度とし、前記第１の定規板と前記第２の定規板と前記第３の定規板を、前記スタンスの位置決めとして用い、前記第４の定規板と前記第５の定規板と前記第６の定規板を前記ボールまでの距離決めとして用い、及び前記第７の定規板を、前記ボールの位置決めとして用いることが好ましい。
【０００８】
本考案に係る折り畳み式アドレス矯正器具の態様について、前記位置特定目印は、前記複数のそれぞれの定規板の両面に記載されていることが好ましい。
【考案の効果】
【０００９】
本考案の折り畳み式アドレス矯正器具によれば、パター、アイアン、ウッドなどのゴルフクラブを使用したアドレスを、簡易且つ正確に矯正することができる折り畳み式アドレス矯正器具を提供することができる。
【図面の簡単な説明】
【００１０】
【図１】実施形態の折り畳み式アドレス矯正器具の一例を示す模式図である。
【図２】実施形態の折り畳み式アドレス矯正器具の使用状態の一例を示す模式図である。
【図３】折り畳み式アドレス矯正器具の具体例を示す参考図である。
【図４】折り畳み式アドレス矯正器具の具体例の使用状態を示す参考図である。
【考案を実施するための形態】
【００１１】
以下、本考案の折り畳み式アドレス矯正器具の実施形態を、図１から図４を用いて説明する。図１（a）は、折り畳み式アドレス矯正器具１０が折り畳まれた状態を上から見た模式図であり、図１（ｂ）は、折り畳み式アドレス矯正器具１０が折り畳まれた状態を横から見た模式図であり、図１（ｃ）は、折り畳み式アドレス矯正器具１０を、パターの矯正に用いるときの一例を示す模式図である。図２（ａ）は、折り畳み式アドレス矯正器具１０を、アイアンの矯正に用いるときの一例を示す模式図であり、図２（ｂ）は、折り畳み式アドレス矯正器具１０を、ウッドの矯正に用いるときの一例を示す模式図である。図３は、折り畳み式アドレス矯正器具の具体的な一例を示す参考図である。図４は、折り畳み式アドレス矯正器具の具体的な使用の一例を示す参考図である。
【００１２】
本考案の折り畳み式アドレス矯正器具は、複数の定規板を有しており、複数の定規板のそれぞれは、等間隔に目印が記載されている位置特定目印を有し、複数の定規板は、それぞれが連結部を有し、それぞれの連結部が、回転自在に形成され、且つ、予め定められた角度で固定されるように形成されている連結固定手段により、順次連結され、一体的になるように形成されている。なお、折り畳み式アドレス矯正器具の素材は、合成樹脂またはアルミニウム、ステンレスなどの金属であるが、これに限定されず、適宜最適な素材を選択すればよい。また、上記の位置特定目印は、複数のそれぞれの定規板の両面に記載されていることが望ましいが、片面に記載されている構成であってもよい。
【００１３】
以下、本考案の具体的な実施形態の一例としての折り畳み式アドレス矯正器具１０について説明する。なお、この実施形態は一例であり、これに限定されず本考案に基づき適宜最適な構成にすることができる。
【００１４】
折り畳み式アドレス矯正器具１０は、複数の定規板の一例として、７つの定規板を有しており、第１の定規板１０、第２の定規板１０ｂ、第３の定規板１０ｃ、第４の定規板１０ｄ、第５の定規板１０ｅ、第６の定規板１０ｆ、第７の定規板１０ｇで構成されている。
【００１５】
上記の７つの定規板は、連結固定手段Ｒを用いて連結されており、連結手段Ｒは、第１の定規板１０から第７の定規板１０ｇが、順次連結され一体的になるように用いられている。なお、連結手段Ｒは、周知の技術を用いればよく、ここでは詳細な説明を省略する。
【００１６】
連結手段Ｒで連結された第１の定規板１０から第７の定規板１０ｇは、予め定められた角度で固定されるように形成されており、この例においては、予め定められた角度は、０度、９０度、１８０度、及び２７０度である。
【００１７】
上記のとおり連結手段Ｒで連結された第１の定規板１０から第７の定規板１０ｇのそれぞれは、０度、９０度、１８０度、及び２７０度で、固定される構造となっており、第１の定規板１０と第２の定規板１０ｂの角度を第１の角度Ｋ１とし、第２の定規板１０ｂと第３の定規板１０ｃの角度を第２の角度Ｋ２とし、第３の定規板１０ｃと第４の定規板１０ｄの角度を第３の角度Ｋ３とし、第４の定規板１０ｄと第５の定規板１０ｅの角度を第４の角度Ｋ４とし、第５の定規板１０ｅと第６の定規板１０ｆの角度を第５の角度Ｋ５とし、及び第６の定規板１０ｆと第７の定規板１０ｇを第６の角度Ｋ６とする。
【００１８】
次に、折り畳み式アドレス矯正器具１０の具体的な使用の例について説明する。折り畳み式アドレス矯正器具１０をパター用のゴルフクラブのアドレスの矯正として使用する場合、この例において、第１の角度Ｋ１と第２の角度Ｋ２を１８０度とし、第３の角度Ｋ３と第４の角度Ｋ４を９０度とし、第５の角度Ｋ５と第６の角度Ｋ６を１８０度とし、第１の定規板１０と第２の定規板１０ｂと第３の定規板１０ｃを、スタンスの位置決めとして用い、第４の定規板１０ｄをボールまでの距離決めとして用い、及び第５の定規板１０ｅと第６の定規板１０ｆと第７の定規板１０ｇを、ボールの位置決めとして用いることが望ましい。
【００１９】
また、折り畳み式アドレス矯正器具１０をアイアン用のアドレスの矯正として使用する場合、第１の角度Ｋ１と第２の角度Ｋ２を１８０度とし、第３の角度Ｋ３を９０度とし、第４の角度Ｋ４を１８０度とし、第５の角度Ｋ５を９０度とし、第６の角度を１８０度とし、第１の定規板１０と第２の定規板１０ｂと第３の定規板１０ｃを、スタンスの位置決めとして用い、第４の定規板１０ｄと第５の定規板１０ｅをボールまでの距離決めとして用い、及び第６の定規板１０ｆと第７の定規板１０ｇを、ボールの位置決めとして用いることが望ましい。
【００２０】
また、折り畳み式アドレス矯正器具１０をウッド用のアドレスの矯正として使用する場合、第１の角度Ｋ１と第２の角度Ｋ２を１８０度とし、第３の角度Ｋ３を９０度とし、第４の角度Ｋ４と第５の角度Ｋ５を１８０度とし、第６の角度Ｋ６を９０度とし、第１の定規板１０と第２の定規板１０ｂと第３の定規板１０ｃを、スタンスの位置決めとして用い、第４の定規板１０ｄと第５の定規板１０ｅと第６の定規板１０ｆをボールまでの距離決めとして用い、及び第７の定規板１０ｇを、ボールの位置決めとして用いることが望ましい。なお、上記の折り畳み式アドレス矯正器具１０の使用の例は、一例でありこれに限定されず、ゴルファーにおいて最適なものとして使用することができる。
【００２１】
上記のような特徴を有する本考案の折り畳み式アドレス矯正器具１０は、ゴルファーが、パター、アイアン、ウッドなどのゴルフクラブを使用したときのアドレスを矯正したい場合に、定規板１０から定規板１０ｇを、適宜最適な角度にして簡易且つ正確にアドレスを矯正することができるという顕著な効果を有するものである。また、実施形態の使用例では、スクウェアスタンスを基本としているが、上記の各角度を適宜調整することで、折り畳み式アドレス矯正器具１０を、オープンスタンスまたはクローズスタンスの矯正にも用いることができる。
【００２２】
次に、折り畳み式アドレス矯正器具１０の具体例について図３及び図４を用いて説明する。
【００２３】
図３は、折り畳み式アドレス矯正器具１０の具体的な一例であり、この図に示すように位置特定目印は、数字の１から９と、ＷＡＣＣＩＮＥｃｏｍｐｏという文字を用いている。このように一桁の数字と文字を用いることで、覚えやすい構成となっている。
【００２４】
図４は、上記の折り畳み式アドレス矯正器具１０を用いて、パター、アイアン、ウッドを使用する場合の例を示している。この例において、パターにおいては、足の置き場として、レディースは５、レギュラーは６、安定ストロークは７とすればよく、また、ボールの置き場としてフックラインは２、ストレートは３、スライスラインは４とすればよい。
【００２５】
アイアンにおいては、足の置き場として、レディースは５、スタンダードは６、パワーヒッターは７、ドラコンヒッターは８とすればよく、また、ボールの置き場としてフェードは１、ストレートは２、ドローは３とすればよい。
【００２６】
ウッドにおいては、足の置き場として、レディースは６、スダンダードーは７、パワーヒッターは８、ドラコンヒッターは９とすればよく、また、ボールの置き場としてフェードは１、ストレートは２、ドローは３とすればよい。
【００２７】
次に、示す折り畳み式アドレス矯正器具１０の使用の手順の一例を説明する。折り畳み式アドレス矯正器具１０は、パター、アイアン、ウッドを使用する場合、図４に示すような形に変形させて使用する。まず、折り畳み式アドレス矯正器具１０を目標物に合わせセットする。次に、左足を０の番号に置き、次に、右足を自分に合う番号に合わせ、アドレスを取る。次に、ボールを、希望の番号に合わせセットする。次に、ショットまたはパットを行う。なお、上記の例は右打ちであるが、折り畳み式アドレス矯正器具１０は、左打ち用としても提供できるものである。
【００２８】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２９】
また、本考案の折り畳み式アドレス矯正器具の色、大きさ、形状、素材の厚さ、重さ、目印の記載などについては多様な実施形態が可能であり、それらについて本実施形態と異なる形態による実施は、本考案の技術的範囲に含まれる。
【符号の説明】
【００３０】
１０      折り畳み式アドレス矯正器具
１０      第１の定規板
１０ｂ    第２の定規板
１０ｃ    第３の定規板
１０ｄ    第４の定規板
１０ｅ    第５の定規板
１０ｆ    第６の定規板
１０ｇ    第７の定規板
Ｋ１      第１の角度
Ｋ２      第２の角度
Ｋ３      第３の角度
Ｋ４      第４の角度
Ｋ５      第５の角度
Ｋ６      第６の角度
Ｒ        連結固定手段
【図１】
0003218408.tif 000003
【図２】
0003218408.tif 000004
【図３】
0003218408.tif 000005
【図４】
0003218408.tif 000006